(57)【要約】【課題】第２導入口から挿入された媒体を良好に搬送できるとともに、第２導入口から挿入された媒体の検出精度の低下を抑制できる画像読取装置及び媒体搬送装置を提供する。【解決手段】画像読取装置１は、第１導入口１１と第２導入口１２と排出口１３とが形成された筐体３０と、第１導入口１１から挿入された媒体ＳＨを排出口１３へ案内する第１搬送経路Ｐ１を構成する第１ガイド部１０と、第２導入口１２から挿入された媒体ＣＡを第１ガイド部１０に合流するように案内する第２搬送経路Ｐ２を構成する第２ガイド部２０と、合流位置Ｊ１よりも排出口１３側に配された読取部５５と、第１ガイド部１０の上側に設けられ、第１導入口１１から挿入された媒体ＳＨを検出する第１検出部１１１Ｆ、１１１Ｒ、１１２Ｆ、１１２Ｒと、第２ガイド部２０の下側に設けられ、第２導入口１２から挿入された媒体ＣＡを検出する第２検出部１２１Ｆ、１２２Ｆとを備える。【選択図】図６
2014195190.tif 000002
【特許請求の範囲】
【請求項１】
媒体が挿入される第１導入口と、幅方向の長さが前記第１導入口より小さく形成され、媒体が挿入される第２導入口と、前記第１導入口から挿入された媒体及び前記第２導入口から挿入された媒体を排出する共通の排出口とが形成された筐体と、
前記第１導入口から挿入された媒体を前記排出口へ案内する第１搬送経路を構成する第１ガイド部と、
前記第２導入口から挿入された媒体を前記第１ガイド部に合流するように案内する第２搬送経路を構成する第２ガイド部と、
前記第２ガイド部が前記第１ガイド部に合流する合流位置よりも前記排出口側に配され、前記第１ガイド部及び前記第２ガイド部により案内される媒体の画像を読み取る読取部と、
前記第１ガイド部の上側に設けられ、前記第１導入口から挿入された媒体を検出する第１検出部と、
前記第２ガイド部の下側に設けられ、前記第２導入口から挿入された媒体を検出する第２検出部とを備えていることを特徴とする画像読取装置。
【請求項２】
前記第１検出部は、前記第１導入口から挿入された媒体に当接することにより前記排出口に接近するように回動する第１回動部材と、前記第１回動部材の回動を検出する第１センサとを有し、
前記第２検出部は、前記第２導入口から挿入された媒体に当接することにより前記排出口に接近するように回動する第２回動部材と、前記第２回動部材の回動を検出する第２センサとを有している請求項１記載の画像読取装置。
【請求項３】
前記筐体内における前記幅方向の中央部に設けられ、前記第１導入口から挿入された媒体を１枚ずつ分離して前記第１ガイド部に送り出すように構成される分離ローラと、
前記筐体内における前記幅方向の他端側に設けられ、駆動力を発生する駆動源と、
前記分離ローラと同軸上に配され、前記駆動源から前記分離ローラに前記駆動力を伝達する駆動軸とをさらに備え、
前記駆動軸は、前記分離ローラにおける前記幅方向の一端側の端面の近傍より前記幅方向の他端側のみに配されている請求項１又は２記載の画像読取装置。
【請求項４】
媒体が挿入される第１導入口と、幅方向の長さが前記第１導入口より小さく形成され、媒体が挿入される第２導入口と、前記第１導入口から挿入された媒体及び前記第２導入口から挿入された媒体を排出する共通の排出口とが形成された筐体と、
前記第１導入口から挿入された媒体を前記排出口へ案内する第１搬送経路を構成する第１ガイド部と、
前記第２導入口から挿入された媒体を前記第１ガイド部に合流するように案内する第２搬送経路を構成する第２ガイド部と、
前記第２ガイド部が前記第１ガイド部に合流する合流位置よりも前記排出口側に配され、前記第１ガイド部及び前記第２ガイド部により案内される媒体に対して所定の処理を行う処理部と、
前記第１ガイド部の上側に設けられ、前記第１導入口から挿入された媒体を検出する第１検出部と、
前記第２ガイド部の下側に設けられ、前記第２導入口から挿入された媒体を検出する第２検出部とを備えていることを特徴とする媒体搬送装置。
【発明の詳細な説明】
【技術分野】
【０００１】
本発明は画像読取装置及び媒体搬送装置に関する。
【背景技術】
【０００２】
特許文献１に従来の画像読取装置の例が開示されている。この画像読取装置は、筐体と第１ガイド部と第２ガイド部と読取部とを備えている。筐体には、第１導入口と第２導入口と排出口とが形成されている。第１導入口には、媒体が挿入される。第２導入口は、幅方向の長さが第１導入口より小さく形成されている。第２導入口には、第１導入口から挿入される媒体よりも幅狭の媒体が挿入される。排出口からは、第１導入口から挿入された媒体及び第２導入口から挿入された媒体が共通して排出される。第１ガイド部は、第１導入口から挿入された媒体を排出口へ案内する第１搬送経路を構成している。第２ガイド部は、第２導入口から挿入された媒体を第１ガイド部に合流するように案内する第２搬送経路を構成している。読取部は、第２ガイド部が第１ガイド部に合流する合流位置よりも排出口側に配され、第１ガイド部及び第２ガイド部により案内される媒体の画像を読み取る。
【０００３】
この画像読取装置では、上記構成により、第１搬送経路における合流位置よりも排出口側に対して第２搬送経路がおおよそ真っ直ぐに連続するように、第１ガイド部及び第２ガイド部を設けることが容易である。これにより、肉厚で曲り難い樹脂製カード等の各種の媒体が第２ガイド部及び第１ガイド部により案内される際、その媒体を良好に搬送できる。
【先行技術文献】
【特許文献】
【０００４】
【特許文献１】特開２００８−２８５２５９号公報
【発明の概要】
【発明が解決しようとする課題】
【０００５】
ところで、上記従来の画像読取装置では、一般的に、第１導入口から挿入された媒体を検出する第１検出部と、第２導入口から挿入された媒体を検出する第２検出部とが設けられている。ここで、例えば、第１検出部及び第２検出部を第１ガイド部の上側に設けると、第２検出部が第２ガイド部から離間してしまい、その結果、第２導入口から挿入された媒体の検出精度が低下し易いという問題がある。
【０００６】
本発明は、上記従来の実情に鑑みてなされたものであって、第２導入口から挿入された媒体を良好に搬送できるとともに、第２導入口から挿入された媒体の検出精度の低下を抑制できる画像読取装置及び媒体搬送装置を提供することを目的とする。
【課題を解決するための手段】
【０００７】
本発明の画像読取装置は、媒体が挿入される第１導入口と、幅方向の長さが第１導入口より小さく形成され、媒体が挿入される第２導入口と、第１導入口から挿入された媒体及び第２導入口から挿入された媒体を排出する共通の排出口とが形成された筐体と、
第１導入口から挿入された媒体を排出口へ案内する第１搬送経路を構成する第１ガイド部と、
第２導入口から挿入された媒体を第１ガイド部に合流するように案内する第２搬送経路を構成する第２ガイド部と、
第２ガイド部が第１ガイド部に合流する合流位置よりも排出口側に配され、第１ガイド部及び第２ガイド部により案内される媒体の画像を読み取る読取部と、
第１ガイド部の上側に設けられ、第１導入口から挿入された媒体を検出する第１検出部と、
第２ガイド部の下側に設けられ、第２導入口から挿入された媒体を検出する第２検出部とを備えていることを特徴とする。
【０００８】
本発明の画像読取装置では、上記従来の画像読取装置と同様、第１搬送経路における合流位置よりも排出口側に対して第２搬送経路がおおよそ真っ直ぐに連続するように、第１ガイド部及び第２ガイド部を設けることが容易であるので、第２導入口から挿入された各種の媒体を良好に搬送できる。
【０００９】
また、この画像読取装置では、第２ガイド部の下側に設けられた第２検出部により、第２導入口から挿入された媒体を検出する。これにより、この画像読取装置では、仮に第２検出部を第１ガイド部の上側に設ける場合と比較して、第２検出部を第２ガイド部に接近させることができ、その結果、第２導入口から挿入された媒体の検出精度の低下を抑制できる。
【００１０】
したがって、本発明の画像読取装置では、第２導入口から挿入された媒体を良好に搬送できるとともに、第２導入口から挿入された媒体の検出精度の低下を抑制できる。
【００１１】
本発明の媒体搬送装置は、媒体が挿入される第１導入口と、幅方向の長さが第１導入口より小さく形成され、媒体が挿入される第２導入口と、第１導入口から挿入された媒体及び第２導入口から挿入された媒体を排出する共通の排出口とが形成された筐体と、
第１導入口から挿入された媒体を排出口へ案内する第１搬送経路を構成する第１ガイド部と、
第２導入口から挿入された媒体を第１ガイド部に合流するように案内する第２搬送経路を構成する第２ガイド部と、
第２ガイド部が第１ガイド部に合流する合流位置よりも排出口側に配され、第１ガイド部及び第２ガイド部により案内される媒体に対して所定の処理を行う処理部と、
第１ガイド部の上側に設けられ、第１導入口から挿入された媒体を検出する第１検出部と、
第２ガイド部の下側に設けられ、第２導入口から挿入された媒体を検出する第２検出部とを備えていることを特徴とする。
【００１２】
本発明の媒体搬送装置は、本発明の画像読取装置について上述した作用効果と同様の作用効果を奏することができる。
【００１３】
したがって、本発明の媒体搬送装置では、第２導入口から挿入された媒体を良好に搬送できるとともに、第２導入口から挿入された媒体の検出精度の低下を抑制できる。
【図面の簡単な説明】
【００１４】
【図１】実施例の画像読取装置に係り、シートトレイを開いた状態の前方を主に示す斜視図である。
【図２】実施例の画像読取装置に係り、シートトレイを閉じた状態の後方を主に示す斜視図である。
【図３】実施例の画像読取装置に係り、シートトレイを閉じた状態の前方を主に示す斜視図である。
【図４】実施例の画像読取装置に係り、シートトレイを開いた状態を示す模式上面図である。
【図５】実施例の画像読取装置に係り、図４のＡ−Ａ断面を示す断面図である。
【図６】実施例の画像読取装置に係り、図４のＢ−Ｂ断面であって、シートトレイを閉じた状態を示す断面図である。
【図７】実施例の画像読取装置に係り、第１シュート部材を揺動させた状態を示す斜視図である。
【図８】実施例の画像読取装置に係り、分離ローラ及び駆動軸を主に示す分解斜視図である。
【発明を実施するための形態】
【００１５】
以下、本発明に係る画像読取装置及び媒体搬送装置を具体化した実施例を図面を参照しつつ説明する。
【００１６】
（実施例）
図１に示すように、実施例の画像読取装置１は、本発明の画像読取装置及び媒体搬送装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００１７】
＜構成＞
図１〜図８に示すように、画像読取装置１は、筐体３０と、シートトレイ３６とを備えている。筐体３０は、第１シュート部材３１と、第２シュート部材３２と、一対のサイドフレーム３３Ｌ、３３Ｒとが組み合わされてなる。
【００１８】
上側に位置する第１シュート部材３１と、下側に位置する第２シュート部材３２とは、上下方向の間隔を有して互いに対向している。左側のサイドフレーム３３Ｌ及び右側のサイドフレーム３３Ｒは、第１シュート部材３１及び第２シュート部材３２を左右方向の外側から挟んでいる。
【００１９】
図１及び図５〜図７に示すように、第１シュート部材３１は、上面３１Ａ、前面３１Ｂ及び上側案内面３１Ｇ等を有している。上面３１Ａは、上方を向く平面である。上面３１Ａは、後方から前方に向かって下り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、上面３１Ａの後端縁の下側から前方に向かって下り傾斜している。上側案内面３１Ｇは、第１シュート部材３１における前後方向の略中央において前方に向きを変える。上側案内面３１Ｇは、前方に向かって略水平に延びて、前面３１Ｂの下端縁３１ＢＡに連続している。要するに、第１シュート部材３１は、後方から前方に向かって下り傾斜している。
【００２０】
図１、図２及び図５〜図７に示すように、第２シュート部材３２は、前面３２Ｂ、下側案内面３２Ｇ及び後面３２Ｃを有している。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、後面３２Ｃの上端縁の上側から上側案内面３１Ｇに沿うように、前方に向かって下り傾斜している。下側案内面３２Ｇは、第２シュート部材３２における前後方向の中央において前方に向きを変える。下側案内面３２Ｇは、前方に向かって水平に延びて、前面３２Ｂの上端縁３２ＢＡに連続している。後面３２Ｃは、後方を向く平面である。後面３２Ｃは、下方に向かって略垂直に延びている。
【００２１】
図６及び図８等に示すように、第２シュート部材３２は、下側カード案内面３２Ｊ及び上側カード案内面３２Ｈを有している。下側カード案内面３２Ｊは、下側案内面３２Ｇの水平部分における右端部に連続し、後方に向かって水平に延びて後面３２Ｃまで達している。上側カード案内面３２Ｈは、下側カード案内面３２Ｊに対して上方に離間している。上側カード案内面３２Ｈは、下側カード案内面３２Ｊと平行に、後方に向かって水平に延びて後面３２Ｃまで達している。図６に示すように、上側カード案内面３２Ｈの上下方向の高さは、上側案内面３１Ｇの水平部分の上下方向の高さとほぼ同じである。
【００２２】
なお、上側案内面３１Ｇ、下側案内面３２Ｇ、上側カード案内面３２Ｈ、下側カード案内面３２Ｊは、平滑な平面からなる構成に限定されず、複数のリブの先端縁等によって構成されていてもよい。
【００２３】
図４及び図６に示すように、下側カード案内面３２Ｊが下側案内面３２Ｇの水平部分における右端部に連続する位置を合流位置Ｊ１とする。
【００２４】
図１及び図５等に示すように、筐体３０には、第１導入口１１と、排出口１３とが形成されている。
【００２５】
第１導入口１１に、シートＳＨが挿入される。シートＳＨは、例えば、用紙やＯＨＰシート等である。シートＳＨは、本発明の「媒体」の一例である。
【００２６】
より詳しくは、図５に示すように、第１導入口１１は、第１シュート部材３１と第２シュート部材３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００２７】
図１及び図５に示すように、排出口１３から、シートＳＨが排出される。排出口１３は、第１シュート部材３１と第２シュート部材３２との間に形成されている。より詳しくは、排出口１３は、前面３１Ｂの下端縁３１ＢＡと、前面３２Ｂの上端縁３２ＢＡとの隙間である。排出口１３は、左側のサイドフレーム３３Ｌの近傍から右側のサイドフレーム３３Ｒの近傍まで、左右方向に延びている。排出口１３の左右方向の長さは、第１導入口１１と同様、シートＳＨの幅よりも長くされている。
【００２８】
図４〜図６に示すように、画像読取装置１は、第１ガイド部１０を備えている。第１ガイド部１０は、第１シュート部材３１と、第２シュート部材３２とを有して構成されている。第１ガイド部１０は、第１シュート部材３１の上側案内面３１Ｇと、第２シュート部材３２の下側案内面３２Ｇとに上下方向から挟まれてなる通路により、第１搬送経路Ｐ１を形成している。第１ガイド部１０は、第１搬送経路Ｐ１に沿って、シートＳＨを第１導入口１１から排出口１３へ案内する。
【００２９】
第１ガイド部１０は、第１導入口１１から前方に向かって下り傾斜している。そして、第１ガイド部１０は、筐体３０における前後方向の中央において前向きに屈曲し、排出口１３まで水平に延びている。
【００３０】
図７に示すように、第１シュート部材３１は、回動軸心Ｘ３１周りに筐体３０に揺動可能に組み付けられている。回動軸心Ｘ３１は、第１シュート部材３１の前面３１Ｂの下端縁３１ＢＡ側に位置して左右方向に延びている。第１シュート部材３１が第２シュート部材３２に対して上方に離間するように揺動することにより、第１ガイド部１０が開放される。
【００３１】
図４に示すように、第１ガイド部１０において、合流位置Ｊ１より排出口１３側、かつ右端側に位置する領域は、カード搬送領域２９とされている。
【００３２】
図２及び図６等に示すように、筐体３０には、第２導入口１２が形成されている。第２導入口１２に、シートＳＨより幅狭であるカードＣＡが挿入される。カードＣＡは、シートＳＨより小面積の枚葉である。カードＣＡは、例えば、名刺、キャッシュカード、会員証又は免許証等である。カードＣＡの短辺の長さは、例えば、国際標準化機構（ＩＳＯ）／国際電気標準会議（ＩＥＣ）による国際規格ＩＤ−１の５３．９８ｍｍである。カードＣＡの長辺の長さは、例えば、国際標準化機構（ＩＳＯ）／国際電気標準会議（ＩＥＣ）による国際規格ＩＤ−１の８５．６０ｍｍである。カードＣＡは、シートＳＨより肉厚であるとともに剛性が高い。カードＣＡも、本発明の「媒体」の一例である。
【００３３】
より詳しくは、図６に示すように、第２導入口１２は、第２シュート部材３２に形成されている。第２導入口１２は、後面３２Ｃにおける上下方向の中間部、かつ右側のサイドフレーム３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長くされている。第２導入口１２の上下方向の高さは、第１ガイド部１０の水平部分及び排出口１３の上下方向の高さとほぼ同じである。第２導入口１２は、第１導入口１１の右端側と上下方向において重なる位置にある。
【００３４】
第２導入口１２が延びる左右方向は、本発明の「幅方向」の一例である。また、本実施例において、幅方向の一端側は右端側であり、幅方向の他端側は左端側である。
【００３５】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００３６】
図４、図６及び図８に示すように、画像読取装置１は、第２ガイド部２０を備えている。第２ガイド部２０は、第２シュート部材３２の上側カード案内面３２Ｈと下側カード案内面３２Ｊとに上下方向から挟まれてなる通路により、図６に示す第２搬送経路Ｐ２を形成している。第２ガイド部２０は、合流位置Ｊ１において、第１ガイド部１０に合流する。第２ガイド部２０は、第２搬送経路Ｐ２に沿って、第２導入口１２から挿入されたカードＣＡを第１ガイド部１０に合流するように案内する。
【００３７】
第２ガイド部２０が第１ガイド部１０に合流する合流位置Ｊ１は、上側案内面３１Ｇ及び下側案内面３２Ｇの前方から後方に向かって下り傾斜する部分から水平に向きを変える部分に設定されている。これにより、第２ガイド部２０と、第１ガイド部１０の右端側に位置するカード搬送領域２９とは、後方の第２導入口１２から前方の排出口１３の右端側まで水平に延びている。第２ガイド部２０とカード搬送領域２９とは、第２導入口１２から排出口１３の右端側へカードＣＡを案内する。
【００３８】
図１に示すように、シートトレイ３６は、基部３６Ａ、中間部３６Ｂ及び先端部３６Ｃを有している。基部３６Ａは、左右方向に延びる回動軸心Ｘ３６Ａ周りに回動可能に両サイドフレーム３３Ｌ、３３Ｒに支持されている。中間部３６Ｂは、基部３６Ａの回動軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００３９】
図１及び図５に示すように、シートトレイ３６が開いた状態では、基部３６Ａ、中間部３６Ｂ及び先端部３６Ｃが下側案内面３２Ｇの傾斜部分に連続するように後方に向かって上り傾斜し、第１導入口１１を開放している。シートトレイ３６には、１枚又は複数枚のシートＳＨが載置される。シートトレイ３６は、左右一対の幅規制ガイド３６Ｗを有している。幅規制ガイド３６Ｗは、シートトレイ３６に載置されるシートＳＨを左右方向の外側から挟んで左右方向の位置決めを行う。シートトレイ３６に載置されたシートＳＨは、第１導入口１１に挿入され、第１ガイド部１０により排出口１３へ案内される。
【００４０】
図２、図３及び図６に示すように、シートトレイ３６が閉じた状態では、基部３６Ａが垂直になって第２シュート部材３２の後面３２Ｃと面一になり、中間部３６Ｂが第１シュート部材３１の上面３１Ａを上方から覆い、先端部３６Ｃが第１シュート部材３１の前面３１Ｂを前方から覆っている。図２及び図３に示すように、操作開口３９は、シートトレイ３６が閉じた状態でタッチパネル７０を外部に露出させている。
【００４１】
図４〜図６等に示すように、画像読取装置１は、制御基板５４と、駆動源４０Ｍと、搬送部４０と、読取部５５とを備えている。読取部５５は、本発明の「処理部」の一例である。
【００４２】
図５及び図６に示すように、制御基板５４は、第２シュート部材３２の底部に配されている。図示は省略するが、制御基板５４は、ＣＰＵ、ＲＯＭ及びＲＡＭ等を備える扁平な電子回路基板である。制御基板５４には、ＡＣアダプタ及び給電コードを介して、家庭用コンセントから電力が供給される。制御基板５４は、駆動源４０Ｍ、読取部５５、タッチパネル７０等に電気的に接続され、適宜それらに電力を供給して制御を行う。
【００４３】
図４に示すように、駆動源４０Ｍは、筐体３０内における左側のサイドフレーム３３Ｌ側に設けられている。駆動源４０Ｍは、図示しないモータ及び伝達ギヤ群を有している。駆動源４０Ｍは、そのモータが制御基板５４に制御されることにより、駆動力を発生する。
【００４４】
図４〜図８に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、第１ガイド部１０において、第１導入口１１から排出口１３に向かってシートＳＨが搬送される搬送方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、合流位置Ｊ１よりも第１導入口１１側に配され、上流側搬送部４１、第２読取部５５Ｂ、第１読取部５５Ａ及び下流側搬送部４２は、合流位置Ｊ１よりも排出口１３側に配されている。以下、この順番で、これらの構成を説明する。
【００４５】
図５及び図８等に示すように、分離ローラ４８は、第２シュート部材３２内に回転可能に支持されている。分離ローラ４８の上部は、下側案内面３２Ｇの傾斜部分から第１ガイド部１０に露出している。
【００４６】
図４及び図８に示すように、分離ローラ４８は、第１ガイド部１０における左右方向の中央部に位置している。分離ローラ４８は、駆動軸４８Ｓにより、駆動源４０Ｍに連結されている。駆動軸４８Ｓは、分離ローラ４８と同軸上に配されて左右方向に延びている。駆動軸４８Ｓの右端部は、分離ローラ４８の右端面４８Ｒより僅かに右方に突出し、第２シュート部材３２により回転可能に支持されている。駆動軸４８Ｓの右端部は、カード搬送領域２９より左側で途切れている。すなわち、駆動軸４８Ｓは、分離ローラ４８の右端面４８Ｒの近傍より左端側のみに配されている。駆動軸４８Ｓは、駆動源４０Ｍから分離ローラ４８に駆動力を伝達する。
【００４７】
分離ローラ４８は、制御基板５４が駆動源４０Ｍを制御することにより、駆動軸４８Ｓを介して駆動源４０Ｍに駆動される。そして、図５に示すように、分離ローラ４８は、シートトレイ３６に載置されたシートＳＨに当接しつつ回転することにより、そのシートＳＨを第１ガイド部１０に送り出す。
【００４８】
図７に示すように、分離パッド４９は、第１シュート部材３１に組み付けられている。図５に示すように、分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００４９】
図４〜図８に示すように、上流側搬送部４１は、第１搬送ローラ対４１Ａ、４１Ｂと、第２搬送ローラ対４１Ｄとを備えている。第１搬送ローラ対４１Ａ、４１Ｂ及び第２搬送ローラ対４１Ｄは、搬送方向において同じ位置に配されている。第１搬送ローラ対４１Ａ、４１Ｂ及び第２搬送ローラ対４１Ｄはそれぞれ、駆動源４０Ｍに駆動されて回転する駆動ローラと、その駆動ローラと対向する従動ローラとからなる。
【００５０】
第１搬送ローラ対４１Ａ、４１Ｂは、カード搬送領域２９外に位置し、第１ガイド部１０においてシートＳＨをニップして搬送する。第２搬送ローラ対４１Ｄは、カード搬送領域２９内に位置し、第１ガイド部１０のカード搬送領域２９においてカードＣＡをニップして搬送する。
【００５１】
第２読取部５５Ｂは、第２シュート部材３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において第１ガイド部１０に露出している。
【００５２】
第１読取部５５Ａは、第１シュート部材３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において第１ガイド部１０に露出している。
【００５３】
第１読取部５５Ａ及び第２読取部５５Ｂは、第１読取部５５Ａが排出口１３に対して第２読取部５５Ｂよりも近い位置にある状態で、カード搬送領域２９を含む第１ガイド部１０全体を上下方向から挟むように対向している。
【００５４】
上記構成により、第１読取部５５Ａ及び第２読取部５５Ｂは、シートＳＨが第１ガイド部１０において搬送される場合、そのシートＳＨの両面の画像を読み取る。また、第１読取部５５Ａ及び第２読取部５５Ｂは、第２ガイド部２０に案内されて第１ガイド部１０に合流したカードＣＡがカード搬送領域２９において搬送される場合、そのカードＣＡの両面の画像を読み取る。
【００５５】
下流側搬送部４２は、第１搬送ローラ対４２Ａ、４２Ｂ、４２Ｃと、第２搬送ローラ対４２Ｄとを備えている。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００５６】
第１搬送ローラ対４２Ａ、４２Ｂ、４２Ｃは、カード搬送領域２９外に位置し、第１ガイド部１０において搬送されるシートＳＨをニップして回転し、シートＳＨを排出口１３から筐体３０の外部に排出する。第２搬送ローラ対４２Ｄは、カード搬送領域２９内に位置し、カード搬送領域２９において画像が読み取られたカードＣＡをニップして回転し、カードＣＡを排出口１３の右端側から筐体３０の外部に排出する。
【００５７】
図１及び図５に示すように、タッチパネル７０は、第１シュート部材３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００５８】
タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００５９】
＜第１導入口から導入されるシートの検出＞
図４、図５及び図７に示すように、画像読取装置１は、シート用アクチュエータ１１１Ｆ、１１１Ｒを備えている。また、図５に示すように、画像読取装置１は、シート用フォトインタラプタ１１２Ｆ、１１２Ｒを備えている。シート用アクチュエータ１１１Ｆ及びシート用フォトインタラプタ１１２Ｆは、本発明の「第１検出部」の一例である。シート用アクチュエータ１１１Ｒ及びシート用フォトインタラプタ１１２Ｒも、本発明の「第１検出部」の一例である。シート用アクチュエータ１１１Ｆ、１１１Ｒは、本発明の「第１回動部材」の一例である。シート用フォトインタラプタ１１２Ｆ、１１２Ｒは、本発明の「第１センサ」の一例である。
【００６０】
図４及び図５に示すように、シート用アクチュエータ１１１Ｆは、第１ガイド部１０において合流位置Ｊ１より搬送方向の上流側に位置している。シート用アクチュエータ１１１Ｒは、第１ガイド部１０において合流位置Ｊ１より搬送方向の下流側に位置している。図５及び図７に示すように、シート用アクチュエータ１１１Ｆ、１１Ｒは、第１ガイド部１０の上側に設けられている。
【００６１】
図５に示すように、シート用アクチュエータ１１１Ｆは、第１シュート部材３１に回動可能に支持されている。より詳しくは、シート用アクチュエータ１１１Ｆの上端側は、第１シュート部材３１内で左右方向に延びる回動軸心Ｘ１１１Ｆ周りに揺動可能に支持されている。回動軸心Ｘ１１１Ｆは、分離ローラ４８の上方に位置している。シート用アクチュエータ１１１Ｆは、回動軸心Ｘ１１１Ｆから下方の分離ローラ４８に向かって延びている。図４及び図５に示すように、シート用アクチュエータ１１１Ｆの下端部は、分離ローラ４８の右端面４８Ｒの近傍に位置している。要するに、シート用アクチュエータ１１１Ｆは、第１ガイド部１０における左右方向の中央部に位置している。
【００６２】
図５に示すように、シート用アクチュエータ１１１Ｆは、回動軸心Ｘ１１１Ｆから前方に突出する遮蔽部１１３Ｆを有している。シート用アクチュエータ１１１Ｆは、第１導入口１１から挿入されたシートＳＨが分離ローラ４８及び分離パッド４９にニップされる際、そのシートＳＨに当接する。これにより、シート用アクチュエータ１１１Ｆは、そのシートＳＨに押され、図５に二点鎖線で示すように、排出口１３に接近するように、すなわち、前方に向けて回動する。
【００６３】
シート用アクチュエータ１１１Ｒは、第１シュート部材３１に回動可能に支持されている。より詳しくは、シート用アクチュエータ１１１Ｒの上端側は、第１シュート部材３１内で左右方向に延びる回動軸心Ｘ１１１Ｒ周りに揺動可能に支持されている。回動軸心Ｘ１１１Ｒは、第１搬送ローラ対４１Ａの上方に位置している。シート用アクチュエータ１１１Ｒは、回動軸心Ｘ１１１Ｒから前方に延びた後に屈曲して下方の第１搬送ローラ対４１Ａに向かって延びている。図４及び図５に示すように、シート用アクチュエータ１１１Ｒの下端部は、第１搬送ローラ対４１Ａの右端面の近傍に位置している。要するに、シート用アクチュエータ１１１Ｆは、第１ガイド部１０における左右方向の中央部に位置している。
【００６４】
図５に示すように、シート用アクチュエータ１１１Ｒは、回動軸心Ｘ１１１Ｒから前方かつ上方に突出する遮蔽部１１３Ｒを有している。シート用アクチュエータ１１１Ｒは、第１導入口１１から挿入されたシートＳＨが第１搬送ローラ対４１Ａ、４１Ｂにニップされる際、そのシートＳＨに当接する。これにより、シート用アクチュエータ１１１Ｒは、そのシートＳＨに押され、図５に二点鎖線で示すように、排出口１３に接近するように回動する。
【００６５】
シート用フォトインタラプタ１１２Ｆは、第１シュート部材３１内に配されている。シート用フォトインタラプタ１１２Ｆは、発光素子から受光素子に向けて出射した光が受光されたか否かに基づいて、シート用アクチュエータ１１１Ｆの回動を検出する。より詳しくは、シート用アクチュエータ１１１Ｆが回動していない場合、シート用フォトインタラプタ１１２Ｆは、遮蔽部１１３Ｆによって出射光が遮られることにより、シート用アクチュエータ１１１Ｆが回動していないことを検出する。その一方、シート用アクチュエータ１１１Ｆが回動した場合、シート用フォトインタラプタ１１２Ｆは、上方に変位する遮蔽部１１３Ｆによって出射光が遮られなくなることにより、シート用アクチュエータ１１１Ｆが回動したことを検出する。シート用フォトインタラプタ１１２Ｆの検出結果は、制御基板５４に伝達される。
【００６６】
シート用フォトインタラプタ１１２Ｒは、第１シュート部材３１内に配されている。シート用フォトインタラプタ１１２Ｒは、発光素子から受光素子に向けて出射した光が受光されたか否かに基づいて、シート用アクチュエータ１１１Ｒの回動を検出する。より詳しくは、シート用アクチュエータ１１１Ｒが回動していない場合、シート用フォトインタラプタ１１２Ｒは、遮蔽部１１３Ｒによって出射光が遮られることにより、シート用アクチュエータ１１１Ｒが回動していないことを検出する。その一方、シート用アクチュエータ１１１Ｒが回動した場合、シート用フォトインタラプタ１１２Ｒは、後方に変位する遮蔽部１１３Ｒによって出射光が遮られなくなることにより、シート用アクチュエータ１１１Ｒが回動したことを検出する。シート用フォトインタラプタ１１２Ｒの検出結果は、制御基板５４に伝達される。
【００６７】
＜第２導入口から導入されるカードの検出＞
図４及び図６〜図８に示すように、画像読取装置１は、カード用アクチュエータ１２１Ｆ、１２１Ｒを備えている。また、図６に示すように、画像読取装置１は、カード用フォトインタラプタ１２２Ｆ、１２２Ｒを備えている。カード用アクチュエータ１２１Ｆ及びカード用フォトインタラプタ１２２Ｆは、本発明の「第２検出部」の一例である。カード用アクチュエータ１２１Ｆは、本発明の「第２回動部材」の一例である。カード用フォトインタラプタ１２２Ｆは、本発明の「第２センサ」の一例である。
【００６８】
図４及び図６に示すように、カード用アクチュエータ１２１Ｆは、第２ガイド部２０に位置している。カード用アクチュエータ１２１Ｒは、第１ガイド部１０において合流位置Ｊ１より搬送方向の下流側に位置している。図６及び図８に示すように、カード用アクチュエータ１２１Ｆは、第２ガイド部２０の下側に設けられている。図６及び図７に示すように、カード用アクチュエータ１２１Ｒは、第１ガイド部１０の上側に設けられている。
【００６９】
図６に示すように、カード用アクチュエータ１２１Ｆは、第２シュート部材３２に回動可能に支持されている。より詳しくは、カード用アクチュエータ１２１Ｆの下端側は、第２シュート部材３２内で左右方向に延びる回動軸心Ｘ１２１Ｆ周りに揺動可能に支持されている。回動軸心Ｘ１２１Ｆは、下側カード案内面３２Ｊの下方に位置している。カード用アクチュエータ１２１Ｆは、回動軸心Ｘ１２１Ｆから上方に向かって延びて、第２ガイド部２０に交差している。カード用アクチュエータ１２１Ｆは、回動軸心Ｘ１２１Ｆから下方に突出する遮蔽部１２３Ｆを有している。カード用アクチュエータ１２１Ｆは、第２導入口１２から挿入されたカードＣＡが第２ガイド部２０を通過する際、そのカードＣＡに当接する。これにより、カード用アクチュエータ１２１Ｆは、そのカードＣＡに押され、図６に二点鎖線で示すように、排出口１３に接近するように回動する。
【００７０】
カード用アクチュエータ１２１Ｒは、第１シュート部材３１に回動可能に支持されている。より詳しくは、カード用アクチュエータ１２１Ｒの上端側は、第１シュート部材３１内で左右方向に延びる回動軸心Ｘ１２１Ｒ周りに揺動可能に支持されている。回動軸心Ｘ１２１Ｒは、第２搬送ローラ対４１Ｄの上方に位置している。カード用アクチュエータ１２１Ｒは、回動軸心Ｘ１３１Ｒから前方に延びた後に屈曲して下方の第２搬送ローラ対４１Ｄに向かって延びている。図４及び図６に示すように、カード用アクチュエータ１２１Ｒの下端部は、第２搬送ローラ対４１Ｄの右端面の近傍に位置している。要するに、カード用アクチュエータ１２１Ｒは、筐体３０内においてシート用アクチュエータ１１１Ｒよりも右端側に位置している。
【００７１】
図６に示すように、カード用アクチュエータ１２１Ｒは、回動軸心Ｘ１２１Ｒから前方かつ上方に突出する遮蔽部１２３Ｒを有している。カード用アクチュエータ１２１Ｒは、第２導入口１２から挿入されたカードＣＡが第２搬送ローラ対４１Ｄにニップされる際、そのカードＣＡに当接する。これにより、カード用アクチュエータ１２１Ｒは、そのカードＣＡに押され、図６に二点鎖線で示すように、排出口１３に接近するように回動する。また、カード用アクチュエータ１２１Ｒは、第１導入口１１から挿入されたシートＳＨが第２搬送ローラ対４１Ｄを通過する際、そのシートＳＨに当接する。これによっても、カード用アクチュエータ１２１Ｒは、そのシートＳＨに押され、図６に二点鎖線で示すように、排出口１３に接近するように回動する。
【００７２】
カード用フォトインタラプタ１２２Ｆは、第２シュート部材３２内に配されている。カード用フォトインタラプタ１２２Ｆは、発光素子から受光素子に向けて出射した光が受光されたか否かに基づいて、カード用アクチュエータ１２１Ｆの回動を検出する。より詳しくは、カード用アクチュエータ１２１Ｆが回動していない場合、カード用フォトインタラプタ１２２Ｆは、遮蔽部１２３Ｆによって出射光が遮られることにより、カード用アクチュエータ１２１Ｆが回動していないことを検出する。その一方、カード用アクチュエータ１２１Ｆが回動した場合、図６に二点鎖線で示すように、遮蔽部１２３Ｆが上方に変位し、カード用フォトインタラプタ１２２Ｆは、その遮蔽部１２３Ｆによって出射光が遮られなくなることにより、カード用アクチュエータ１２１Ｆが回動したことを検出する。カード用フォトインタラプタ１２２Ｆの検出結果は、制御基板５４に伝達される。
【００７３】
カード用フォトインタラプタ１２２Ｒは、第１シュート部材３１内に配されている。カード用フォトインタラプタ１２２Ｒは、発光素子から受光素子に向けて出射した光が受光されたか否かに基づいて、カード用アクチュエータ１２１Ｒの回動を検出する。より詳しくは、カード用アクチュエータ１２１Ｒが回動していない場合、カード用フォトインタラプタ１２２Ｒは、遮蔽部１２３Ｒによって出射光が遮られることにより、カード用アクチュエータ１２１Ｒが回動していないことを検出する。その一方、カード用アクチュエータ１２１Ｒが回動した場合、図６に二点鎖線で示すように、遮蔽部１２３Ｒが後方に変位し、カード用フォトインタラプタ１２２Ｒは、その遮蔽部１２３Ｒによって出射光が遮られなくなることにより、カード用アクチュエータ１２１Ｒが回動したことを検出する。カード用フォトインタラプタ１２２Ｒの検出結果は、制御基板５４に伝達される。
【００７４】
＜シート及びカードの画像読取動作＞
この画像読取装置１では、以下のようにして、シートＳＨ及びカードＣＡの画像が読み取られる。
【００７５】
図１及び図５に示すように、シートＳＨの画像が読み取られる場合、ユーザにより、シートトレイ３６が開いた状態とされる。シートトレイ３６が開いた状態であれば、その状態が維持される。そして、ユーザにより、シートトレイ３６にシートＳＨが載置される。制御基板５４は、タッチパネル７０からシートＳＨの読取指示があった場合、シート用フォトインタラプタ１１２Ｆの検出結果を参照する。そして、制御基板５４は、シート用アクチュエータ１１１Ｆが回動したことをシート用フォトインタラプタ１１２Ｆが検出している場合、シートトレイ３６に載置されたシートＳＨが分離ローラ４８及び分離パッド４９にニップされていると判断して、シートＳＨの画像読取動作を開始する。
【００７６】
そうすると、制御基板５４は、駆動源４０Ｍに駆動力を発生させるように制御する。そうすると、まず、分離ローラ４８が分離パッド４９とシートＳＨを挟みながら回転する。分離ローラ４８は、シートトレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００７７】
次に、上流側搬送部４１の第１搬送ローラ対４１Ａ、４１Ｂによって、分離ローラ４８に送り出されたシートＳＨを第１ガイド部１０において搬送する。第１ガイド部１０において搬送されるシートＳＨの両面の画像が第１読取部５５Ａ及び第２読取部５５Ｂにより読み取られる。この際、制御基板５４は、シート用フォトインタラプタ１１２Ｒの検出結果を参照する。そして、制御基板５４は、シート用アクチュエータ１１１Ｒが回動したことをシート用フォトインタラプタ１１２Ｒが検出したタイミングに基づいて、シートＳＨが第１搬送ローラ対４１Ａ、４１Ｂにニップされたタイミングを判断し、第１読取部５５Ａ及び第２読取部５５Ｂが画像読取を開始するタイミングを制御する。画像が読み取られたシートＳＨは、下流側搬送部４２の第１搬送ローラ対４２Ａ、４２Ｂ、４２Ｃによって、排出口１３から筐体３０の外部に排出される。
【００７８】
一方、図２、図３及び図６に示すように、カードＣＡの画像が読み取られる場合、ユーザにより、シートトレイ３６が閉じた状態とされる。シートトレイ３６が閉じた状態であれば、その状態が維持される。そして、図２に示すように、ユーザにより、カードＣＡが筐体３０の後方から第２導入口１２に差し込まれる。そうすると、カードＣＡは、第２ガイド部２０を通過し、その先端がカード搬送領域２９に到達する。制御基板５４は、タッチパネル７０からカードＣＡの読取指示があった場合、カード用フォトインタラプタ１２２Ｆの検出結果を参照する。そして、制御基板５４は、カード用アクチュエータ１２１Ｆが回動したことをカード用フォトインタラプタ１２２Ｆが検出している場合、第２導入口１２から挿入されたカードＣＡが第２ガイド部２０を通過し、その先端がカード搬送領域２９に到達したと判断して、カードＣＡの画像読取動作を開始する。
【００７９】
そうすると、制御基板５４は、駆動源４０Ｍに駆動力を発生させるように制御する。そうすると、上流側搬送部４１の第２搬送ローラ対４１Ｄによって、カード搬送領域２９においてカードＣＡを搬送する。カード搬送領域２９において搬送されるカードＣＡの両面の画像が第１読取部５５Ａ及び第２読取部５５Ｂにより読み取られる。この際、制御基板５４は、カード用フォトインタラプタ１２２Ｒの検出結果を参照する。そして、制御基板５４は、カード用アクチュエータ１２１Ｒが回動したことをカード用フォトインタラプタ１２２Ｒが検出したタイミングに基づいて、カードＣＡが第２搬送ローラ対４１Ｄにニップされたタイミングを判断し、第１読取部５５Ａ及び第２読取部５５Ｂが画像読取を開始するタイミングを制御する。図３に示すように、画像が読み取られたカードＣＡは、下流側搬送部４２の第２搬送ローラ対４２Ｄによって、排出口１３から筐体３０の外部に排出される。
【００８０】
＜作用効果＞
実施例の画像読取装置１では、第１搬送経路Ｐ１における合流位置Ｊ１よりも排出口１３側に対して第２搬送経路Ｐ２がおおよそ真っ直ぐに連続するように、第１ガイド部１０及び第２ガイド部２０を設けることが容易であるので、第２導入口１２から挿入された各種のカードＣＡを良好に搬送できる。特に、クレジットカード等の樹脂製のカードＣＡは厚肉で曲り難いので、そのようなカードＣＡを特に良好に搬送できる。
【００８１】
また、この画像読取装置１では、第２ガイド部２０の下側に設けられた第２検出部としてのカード用アクチュエータ１２１Ｆ及びカード用フォトインタラプタ１２２Ｆにより、第２導入口１２から挿入されたカードＣＡを検出する。これにより、この画像読取装置１では、仮にカード用アクチュエータ１２１Ｆ及びカード用フォトインタラプタ１２２Ｆを第１ガイド部１０の上側に設ける場合と比較して、カード用アクチュエータ１２１Ｆ及びカード用フォトインタラプタ１２２Ｆを第２ガイド部２０に接近させることができ、その結果、第２導入口１２から挿入されたカードＣＡの検出精度の低下を抑制できる。具体的に説明すると、カード用アクチュエータ１２１Ｆの回動軸心Ｘ１２１Ｆと第２ガイド部２０との距離が接近するほど、カード用アクチュエータ１２１ＦがカードＣＡに当接する位置が回動軸心Ｘ１２１Ｆに接近する。そうすると、カード用アクチュエータ１２１ＦがカードＣＡに押されて回動する角度を大きくできるので、遮蔽部１２３Ｆの回動角度も大きくなり、その結果、カード用フォトインタラプタ１２２ＦによるカードＣＡの位置検出の誤差を小さくできる。
【００８２】
したがって、実施例の画像読取装置１では、第２導入口１２から挿入されたカードＣＡを良好に搬送できるとともに、第２導入口１２から挿入されたカードＣＡの検出精度の低下を抑制できる。
【００８３】
また、この画像読取装置１では、第１検出部としてシート用アクチュエータ１１１Ｆ及びシート用フォトインタラプタ１１２Ｆを採用している。また、この画像読取装置１では、もう１つの第１検出部として、シート用アクチュエータ１１１Ｒ及びシート用フォトインタラプタ１１２Ｒを採用している。さらに、この画像読取装置１では、第２検出部としてカード用アクチュエータ１２１Ｆ及びカード用フォトインタラプタ１２２Ｆを採用している。これにより、この画像読取装置１では、第１検出部及び第２検出部として例えば反射式の光センサを採用する場合と比較して、製造コストの低廉化を実現できる。
【００８４】
さらに、この画像読取装置１では、図４等に示すように、分離ローラ４８が筐体３０内における左右方向の中央部に設けられている。分離ローラ４８と同軸上に配された駆動軸４８Ｓは、筐体３０内における左端側に設けられた駆動源４０Ｍから分離ローラ４８に駆動力を伝達する。そして、駆動軸４８Ｓは、分離ローラ４８の右端面４８Ｓの近傍より筐体３０の左端側のみに配されている。このような構成により、この画像読取装置１では、駆動軸４８が分離ローラ４８の右端面４８Ｓ側で途切れているので、筐体３０内における右端側に空きスペースが形成される。このため、その空きスペースに第２ガイド部２０、カード用アクチュエータ１２１Ｆ及びカード用フォトインタラプタ１２２Ｆを容易に配設することができる。その結果、この画像読取装置１は、小型化を実現できる。
【００８５】
以上において、本発明を実施例に即して説明したが、本発明は上記実施例に制限されるものではなく、その趣旨を逸脱しない範囲で適宜変更して適用できることはいうまでもない。
【００８６】
例えば、第１検出部及び第２検出部は、光学式や音波式等により非接触で媒体を検出するものであってもよい。また、第１検出部及び第２検出部は、媒体との接触により接点を断接するマイクロスイッチ等であってもよい。
【産業上の利用可能性】
【００８７】
本発明は、画像読取装置、画像形成装置又は複合機等に利用可能である。
【符号の説明】
【００８８】
１…画像読取装置（媒体搬送装置）、ＳＨ、ＣＡ…媒体
ＳＨ…シート（第１導入口から挿入される媒体）
ＣＡ…カード（第２導入口から挿入される媒体）
３０…筐体、１１…第１導入口、１２…第２導入口、１３…排出口
１０…第１ガイド部、２０…第２ガイド部、５５…読取部（処理部）
Ｐ１…第１搬送経路、Ｐ２…第２搬送経路、Ｊ１…合流位置
１１１Ｆ、１１１Ｒ、１１２Ｆ、１１２Ｒ…第１検出部
１１１Ｆ、１１１Ｒ…シート用アクチュエータ（第１回動部材）
１１２Ｆ、１１２Ｒ…シート用フォトインタラプタ（第１センサ）
１２１Ｆ、１２２Ｆ…第２検出部
１２１Ｆ…カード用アクチュエータ（第２回動部材）
１２２Ｆ…カード用フォトインタラプタ（第２センサ）
４８…分離ローラ、４０Ｍ…駆動源、４８Ｓ…駆動軸
４８Ｒ…分離ローラにおける幅方向の一端側の端面（右端面）
【図１】
2014195190.tif 000003
【図２】
2014195190.tif 000004
【図３】
2014195190.tif 000005
【図４】
2014195190.tif 000006
【図５】
2014195190.tif 000007
【図６】
2014195190.tif 000008
【図７】
2014195190.tif 000009
【図８】
2014195190.tif 000010